(57)【要約】【課題】施工性、景観及びその長期持続性に優れ、更には、表面温度上昇の抑制効果にも優れ、歩経路等の舗装に好適な人工芝舗装体を提供する。【解決手段】シート状基材上にパイルが立設されてなり、該パイルは、複数本のパイルの集合体よりなるコロニーとして設けられ、該コロニーが所定の間隔をあけて基材上に複数個形成されている人工芝本体と、該人工芝本体の該パイル間に充填された自硬性土系舗装材とを備える人工芝舗装体。該パイルは、織度１０００デシテックス以上、厚み１００μｍ以上、かつ芝丈３０〜６０ｍｍであり、該コロニーは、パイル密度１５本／ｃｍ２以上、基底部の面積０．５〜５ｃｍ２で、かつ隣接するコロニー同士の間隔が０．５ｃｍ以上である。【選択図】図１
2014163075.tif 000002
【特許請求の範囲】
【請求項１】
シート状基材上にパイルが立設されてなり、該パイルは、複数本のパイルの集合体よりなるコロニーとして設けられ、該コロニーが所定の間隔をあけて基材上に複数個形成されている人工芝本体と、
該人工芝本体の該パイル間に充填された自硬性土系舗装材とを備える人工芝舗装体であって、
該パイルは、織度１０００デシテックス以上、厚み１００μｍ以上、かつ芝丈３０〜６０ｍｍであり、該コロニーは、パイル密度１５本／ｃｍ２以上、基底部の面積０．５〜５ｃｍ２で、かつ隣接するコロニー同士の間隔が０．５ｃｍ以上であることを特徴とする人工芝舗装体。
【請求項２】
請求項１において、前記自硬性土系舗装材が、前記パイル間に充填後硬化されてなることを特徴とする人工芝舗装体。
【請求項３】
前記コロニーが、頭頂開放形状であり、該コロニーの頭頂部の上方からの投影面積が基底部の面積の１倍を超え１５倍以下であることを特徴とする請求項１又は２に記載の人工芝舗装体。
【請求項４】
前記人工芝本体がウィービング織りによる人工芝本体であることを特徴とする請求項１ないし３のいずれか１項に記載の人工芝舗装体。
【請求項５】
前記自硬性土系舗装材は、粒径５ｍｍ以下の粒状舗装材であることを特徴とする請求項１ないし４のいずれか１項に記載の人工芝舗装体。
【請求項６】
請求項１ないし５のいずれか１項に記載の人工芝舗装体を敷設してなることを特徴とする人工芝舗装面。
【請求項７】
シート状基材上にパイルが立設されてなり、該パイルは、複数本のパイルの集合体よりなるコロニーとして設けられ、該コロニーが所定の間隔をあけて基材上に複数個形成されている人工芝本体を施工面に敷設した後、該人工芝本体の該パイル間に自硬性土系舗装材を充填し、次いで水を散布して該舗装材を硬化させる舗装方法であって、
該パイルは、織度１０００デシテックス以上、厚み１００μｍ以上、かつ芝丈３０〜６０ｍｍであり、該コロニーは、パイル密度１５本／ｃｍ２以上、基底部の面積０．５〜５ｃｍ２で、かつ隣接するコロニー同士の間隔が０．５ｃｍ以上であることを特徴とする舗装方法。
【発明の詳細な説明】
【技術分野】
【０００１】
本発明は、歩経路等の舗装に用いられる人工芝舗装体に関する。詳しくは、歩経路として適し、視覚的にも優れた緑地効果のある人工芝と土系の材料を使用して自然な風合いを醸し出した人工芝舗装体に関する。本発明はまた、この人工芝舗装体を使用した人工芝舗装面及び舗装方法に関する。
【背景技術】
【０００２】
従来、水はけの改良や雑草の繁殖防止、景観整備などを目的として、歩経路等の舗装材として、土系舗装材が知られている（例えば、特許文献１）。土系舗装材は、水分の添加により硬化する性質（自硬性）を利用したもの（自硬性土系舗装材）が一般的である。自硬性舗装材は、被舗装面にこれを散布し、トンボやレーキ等で整地した後、散水することで硬化させ、容易に舗装面を提供することができる。
【０００３】
一方で、緑豊かな優れた景観を提供するものとして、人工芝が提供されている（例えば、特許文献２）。また、運動競技場用人工芝の施工性、弾力性の改良を目的として、人工芝のパイル間に砂やゴムチップ等の粒状物を充填したものも提案されている（例えば、特許文献３）。
【先行技術文献】
【特許文献】
【０００４】
【特許文献１】特開２００２−３７１５０４号公報
【特許文献２】特開平３−１１９２１２号公報
【特許文献３】特開２００１−２５４３１０号公報
【発明の概要】
【発明が解決しようとする課題】
【０００５】
自硬性土系舗装材は一般的に粒状であり、取り扱い性に優れ、施工が簡便であることから、適用用途も広い。しかし、その反面、広範な面積を施工すると、土系の材料であるが故に硬化表面が無機質で単調な印象を与え、暖かみに欠ける、適用場所によっては景観を損ねるという課題があった。
また、当然、その表面が硬化しているので、施工面への植栽は極めて困難であり、植物による景観の改善は実質的に不可能であるという課題もあった。
【０００６】
一方、人工芝は、通常、アスファルト又はコンクリート等の下地面に接着剤等で固定されて施工されるが、経時により固定された人工芝の位置ずれや剥がれ等の問題があり、そのメンテナンスに多大な労力を要するという問題がある。
【０００７】
また、人工芝のパイル間に砂やゴムチップ等の粒状物を充填したものでも、位置ずれや剥がれ等の防止は十分ではなく、しかも、砂やゴムの流出の問題もある。また、施工面は弾力性に富んだものとなるため、運動競技場としては好適であるが、歩経路には不向きである。更に、炎天下での表面温度上昇の抑制機能は十分ではなく、この点においても、歩径路等の舗装には適したものとは言い難い。
【０００８】
本発明は上記従来の問題点を解決し、施工性、景観及びその長期持続性に優れ、更には、表面温度上昇の抑制効果にも優れ、歩経路等の舗装に好適な人工芝舗装体を提供することを課題とする。
【課題を解決するための手段】
【０００９】
本発明者は上記課題を解決すべく、人工芝と自硬性土系舗装材を用いた路面の改良について、以下のような検討を行った。
【００１０】
被舗装面に、パイルが列状に密に並んだ人工芝本体、例えばタフト織りのロングパイル人工芝を敷設し、その上に自硬性土系舗装材を散布すると、粒状の舗装材によりパイルが倒れてしまい、散水、硬化後の完成舗装面の見栄えが悪い。このように倒れたパイルを含んだまま自硬性土系舗装材が硬化すると、完成舗装面の凹凸が激しく、また舗装面に亀裂が発生し易くなる上に、美観が著しく損なわれる。
【００１１】
このパイル倒れを防止するために、自硬性土系舗装材の粒径を細かくしすぎると、舗装材がパイルに付着し、散水後においても流下せずに、人工芝面となるパイルが土系舗装材により茶色く着色してしまい、仕上がりの悪いものとなる。この場合には、完成舗装面の平坦性や美観、耐久性に問題が生じ、また散水前の舗装材の飛散の問題もあり、施工性、作業性も悪いものとなる。
【００１２】
そこで、本発明者は、更に人工芝の構造について検討を重ねた。具体的には、所定の大きさのモノフィラメントの人工芝糸束（パイル）を比較的大きな塊（コロニー）とすると共に、当該コロニー間の距離を適切な値に制御することにより、パイル倒れを防止して、人工芝としての景観を損なうことなく、且つ自硬性土系舗装材を充填しやすく、施工性、耐久性に優れた完成舗装面を実現することができることを見出し、本発明を完成させた。
【００１３】
即ち、本発明は以下を要旨とする。
【００１４】
［１］  シート状基材上にパイルが立設されてなり、該パイルは、複数本のパイルの集合体よりなるコロニーとして設けられ、該コロニーが所定の間隔をあけて基材上に複数個形成されている人工芝本体と、該人工芝本体の該パイル間に充填された自硬性土系舗装材とを備える人工芝舗装体であって、該パイルは、織度１０００デシテックス以上、厚み１００μｍ以上、かつ芝丈３０〜６０ｍｍであり、該コロニーは、パイル密度１５本／ｃｍ２以上、基底部の面積０．５〜５ｃｍ２で、かつ隣接するコロニー同士の間隔が０．５ｃｍ以上であることを特徴とする人工芝舗装体。
【００１５】
［２］  ［１］において、前記自硬性土系舗装材が、前記パイル間に充填後硬化されてなることを特徴とする人工芝舗装体。
【００１６】
［３］  前記コロニーが、頭頂開放形状であり、該コロニーの頭頂部の上方からの投影面積が基底部の面積の１倍を超え１５倍以下であることを特徴とする［１］又は［２］に記載の人工芝舗装体。
【００１７】
［４］  前記人工芝本体がウィービング織りによる人工芝本体であることを特徴とする［１］ないし［３］のいずれかに記載の人工芝舗装体。
【００１８】
［５］  前記自硬性土系舗装材は、粒径５ｍｍ以下の粒状舗装材であることを特徴とする［１］ないし［４］のいずれかに記載の人工芝舗装体。
【００１９】
［６］  ［１］ないし［５］のいずれかに記載の人工芝舗装体を敷設してなることを特徴とする人工芝舗装面。
【００２０】
［７］  シート状基材上にパイルが立設されてなり、該パイルは、複数本のパイルの集合体よりなるコロニーとして設けられ、該コロニーが所定の間隔をあけて基材上に複数個形成されている人工芝本体を施工面に敷設した後、該人工芝本体の該パイル間に自硬性土系舗装材を充填し、次いで水を散布して該舗装材を硬化させる舗装方法であって、該パイルは、織度１０００デシテックス以上、厚み１００μｍ以上、かつ芝丈３０〜６０ｍｍであり、該コロニーは、パイル密度１５本／ｃｍ２以上、基底部の面積０．５〜５ｃｍ２で、かつ隣接するコロニー同士の間隔が０．５ｃｍ以上であることを特徴とする舗装方法。
【発明の効果】
【００２１】
本発明の人工芝舗装体によれば、特定の寸法の人工芝パイルを、特定のコロニー構造とすることによって、粒状の自硬性土系舗装材との組み合わせにおいて、舗装材充填時のパイル倒れを防止して、良好な施工性、作業性で外観に優れた完成舗装面を実現することができる。
しかも、土系舗装材の特徴である高い保水性を保持し、夏期に問題となる舗装面の温度上昇をも、散水により容易に抑制することができる上に、耐久性にも優れた舗装面とすることができる。
加えて、固化した自硬性土系舗装材によって人工芝を固定することができるため、人工芝本体のズレや剥がれ、パイル抜けも防止され、舗装面のメンテナンスを大幅に軽減することができる。
【００２２】
本発明によれば、特定の人工芝本体に、充填材として自硬性土系舗装材を用いることにより、天然芝類似の緑豊かな、非常に美しい景観を提供することができ、かつ、自硬性土系舗装材による上述の表面温度上昇の抑制、人工芝の固定化効果に加えて、自硬性土系舗装材による雑草の繁殖防止、保水性をも生かすことができるので、各々人工芝単独又は自硬性土系舗装材単独の舗装面に比べて、その外観と機能性を格段に高めることができる。
【００２３】
本発明の人工芝舗装体は、路面改良のみならず、個別にブロック体として製造し、各種護岸工事等の法面への敷設、更にはインターロックとして組み合わせて配置するブロック材料としての使用も可能であり、その工業的有用性は極めて高い。
【図面の簡単な説明】
【００２４】
【図１】本発明の人工芝舗装体の実施の形態を示す模式図であって、（ａ）図は、断面図であり、（ｂ）図はパイルの頭頂部の投影面積と基底部の面積を示す平面図である。
【図２】パイルの形状例を示す斜視図である。
【図３】実施例２及び比較例３〜５におけるサンプルの表面温度の経時変化を示すグラフである。
【発明を実施するための形態】
【００２５】
以下、図面を参照して本発明の実施の形態を詳細に説明する。
【００２６】
本発明の人工芝舗装体は、図１（ａ）に示すように、シート状基材に、パイル２が、複数本のパイルの集合体よりなるコロニー３として立設されてなる人工芝本体４の、該パイル２，２間（主としてコロニー同士の間の間隔）に自硬性土系舗装材５が充填され、この自硬性土系舗装材５が硬化されてなるものであり、本発明の人工芝舗装面は、この人工芝本体４を施工面に敷設した後、自硬性土系舗装材５をパイル２，２間（主としてコロニー同士の間の間隔）に充填し、次いで水を散布して自硬性土系舗装材５を硬化させることにより、舗装面を形成することを特徴とする。
【００２７】
＜シート状基材＞
人工芝本体４のシート状基材１は、人工芝本体４の基体となるものであり、一般的に、ポリエチレン、ポリプロピレン、ナイロン、ポリエチレンテレフタレート等の合成樹脂繊維の織物シートや、これらの合成樹脂シート等が用いられ、通常、その厚さは０．３〜３．０ｍｍ程度である。
【００２８】
該織物シートには、上記合成樹脂のマルチフィラメントヤーン、スリットヤーン、フラットヤーンなどが用いられ、これらのヤーンを平織り、綾織りなどで織加工することにより形成される。また、必要に応じて他の素材よりなるヤーンが混織されてもよい。
【００２９】
＜パイル＞
本発明に係る人工芝本体４のパイル２は、シート状基材１の上面にカットパイルやハーフパイルなどの形態で立設される。
【００３０】
パイル２は一般的に合成樹脂製であり、従来公知の任意の材料を使用することができる。具体的には例えば、各種ポリエチレン、各種ポリプロピレン、各種ナイロン、ポリ塩化ビニル、ポリ塩化ビニリデンなどからなる、緑色に着色されたマルチフィラメントヤーン、スリットヤーンなどが用いられる。通常は柔らかさ、しなやかさの観点から、ＬＤＰＥ（低密度ポリエチレン）、ＬＬＤＰＥ（直鎖状低密度ポリエチレン）等よりなるものが好ましく用いられる。
また、本発明においては、自硬性土系舗装材の充填によってパイルが倒れないことが重要となるので、強度や剛性向上の観点から、パイルには、延伸処理されたものを用いることが好ましい。
【００３１】
パイル２の形状についても任意であり、通常、その起立性を確保するために、長さ方向に直交する断面の形状が円形、長方形などの角形、菱形、Ｖ字形、Ｕ字形、Ｙ字形、楕円形などの各種の形状に成形されたものが用いられる。図３は、パイル形状の一例を示す斜視図であり、（ａ）図は断面円形のパイル２ａを、（ｂ）図は断面長方形のパイル２ｂを、（ｃ）図は断面Ｖ字形のパイル２ｃを、（ｄ）図は断面Ｕ字形のパイル２ｄを、（ｅ）図は断面Ｙ字形のパイル２ｅをそれぞれ示す。また、断面Ｖ字、Ｕ字、Ｙ字形状の頂点部分（Ｖ字、Ｕ字ではその底部先端部分）や断面Ｙ字の分岐部分に、１本又は複数本の芯材を埋設したものであってもよく、断面円形、楕円形、又は角形のパイルの中空部分に１本又は複数本の芯材を挿入したものであってもよい。
【００３２】
本発明において、パイル２の織度は１０００デシテックス以上で、厚み１００μｍ以上、かつ芝丈３０〜６０ｍｍである。
ここで、デシテックス（ｄＴｅｘ）は、繊維の太さを規定する単位であり、１０ｋｍ長の重量（ｇ）に該当する。また、パイルの厚みとは、例えば図３（ａ）〜（ｅ）に示すパイル２ａ〜２ｅにおいて、図中「ｄ」で示す厚みをさす。また、パイルの芝丈とは、シート状基材１の上面から表出しているパイル２の長さをさす。
【００３３】
パイル２は、芝丈３０〜６０ｍｍであると、芝としての自然な風合を醸し出すことができる。パイル２の芝丈が上記範囲よりも短いと、自硬性土系舗装材を十分に充填し得ず、上記範囲よりも長いと起立性を確保することが難しくなる。
【００３４】
また、芝丈３０〜６０ｍｍのパイルが、織度１０００ｄＴｅｘ以上、好ましくは２０００ｄＴｅｘ以上で、厚み１００μｍ以上、好ましくは３００μｍ以上であることにより、起立性、耐久性が良くなり、シート状基材１に対して、良好な形状保持性を示す。ただし、パイル２の織度や厚みが過度に大きいと、人工芝としての風合が損なわれてしまうため、パイル２の織度は５０００ｄＴｅｘ以下であることが好ましく、また、厚みは６００μｍ以下であることが好ましい。
【００３５】
本発明に係る人工芝本体は、シート状基材上に、形状、織度、厚み、芝丈、材質などが異なる２種以上のパイルが立設されたものであってもよく、後述のコロニーを形成するパネルについても、一つのコロニーに複数種のパイルが混在していてもよい。また、シート状基材に設けられたパイルの中には、織度１０００ｄＴｅｘ未満のものが含まれていてもよいが、一つのコロニーを構成するパイルのうちの半数以上は織度１０００ｄＴｅｘ以上であることが好ましく、一つのコロニーにおいて、織度の平均値が１０００ｄＴｅｘ以上、特に２０００ｄＴｅｘ以上となることが好ましい。
【００３６】
＜コロニー＞
本発明に係る人工芝本体４は、シート状基材１に対して、上述のパイル２が、その複数本が集合してなるコロニー３として立設されている。ここで、コロニーとは、シート状基材面におけるパイル同士の間隔が２ｍｍ以上離れていないものをパイルの集合とし、これを一つのコロニーとしてとらえたものである。コロニーは、シート状基材１上に規則的に整列して設けられていてもよく、ランダム配置で設けられていてもよいが、通常、人工芝本体の作製工程で正方配置又は千島配置といった整列配置で設けられる。
【００３７】
このコロニー３のパイル密度は１５本／ｃｍ２以上、好ましくは１５〜６０本／ｃｍ２、より好ましくは２０〜５０本／ｃｍ２、特に好ましくは２５〜５０本／ｃｍ２である。コロニー３のパイル密度が１５本／ｃｍ２より低いと、芝面として十分な緑地感覚が得られず、外観が劣るものとなる。ただし、パイル密度が高過ぎると、自硬性土系舗装材の充填性が悪くなる。
ここで、パイル密度とは、コロニーの基底部の単位面積（シート状基材上に占める面積）に対するパイルの本数をさす。
なお、シート状基材上に形成された複数のコロニーのパイル密度はすべて同一である必要はなく、上記の範囲内において、コロニー毎にパイル密度が異なっていてもよい。例えば、比較的パイル密度の高いコロニーと比較的パイル密度の低いコロニーとが交互に並設されていてもよい。
【００３８】
また、コロニー３の基底部の面積（以下「底面積」と称す。）は、０．５〜５ｃｍ２であり、好ましくは１．０〜３．０ｃｍ２である。コロニー３の底面積が小さ過ぎると芝面としての十分な緑地感覚が得られず、外観に劣るものとなる。ただし、この底面積が大き過ぎると、コロニーが大きくなりパイルの「まばら感」が否めず、美麗な緑地とならず、また自硬性土系舗装材の充填性も劣るものとなり、好ましくない。
なお、シート状基材上に形成された複数のコロニーの底面積はすべて同一である必要はなく、上記の範囲内においてコロニー毎に異なっていてもよい。例えば、比較的底面積の大きいコロニーと比較的底面積の小さいコロニーとが交互に並設されていてもよい。
【００３９】
また、本発明において、コロニーは該コロニーの頭頂部の上方からの投影面積が底面積の１倍を超え１５倍以下、特に２〜１０倍となる頭頂開放形状であることが、自硬性土系舗装材の充填時に、人工芝本体の上方から散布した舗装材がコロニー上に留まらずにシート状基材面に落下するようになり、充填性、施工性に優れ、また、自硬性土系舗装材を充填して硬化させた後のパイルが、広がり過ぎることなく、倒れることなく、適度に分散し、見栄えのよい芝面を形成することができることから好ましい。
【００４０】
図１（ｂ）は、コロニー頭頂部の上方からの投影面積を示す模式的平面図であって、図１（ｂ）において、実線で示す円の部分がコロニー頭頂部に該当し、破線で示す円の部分は、基底部に該当する。即ち、本発明において、この実線で囲まれる領域の面積が、破線で囲まれる領域の面積に対して１倍を超えて大きく１５倍以下、特に２〜１０倍であることが好ましい。以下において、このコロニーの底面積に対する頭頂部の上方からの投影面積の割合を単に「頭頂部面積比」と称す。
【００４１】
なお、パイル密度、底面積と同様に、この頭頂部面積比についてもすべて同一である必要はなく、シート状基材上には、頭頂部面積比の異なるコロニーが混在していてもよい。
【００４２】
また、本発明において、コロニー間隔、即ち、シート状基材１上に形成された複数のコロニーの隣接するコロニー同士の間の距離は０．５ｃｍ以上、好ましくは１ｃｍ以上とする。ここで、コロニー間隔とは、コロニーの基底部同士の間の距離をさし、図１（ａ）においてはＬで示される。このコロニー間隔Ｌが０．５ｃｍ未満であると、自硬性土系舗装材の充填性が悪く、施工時の作業性に劣るものとなる。ただし、コロニー間隔が過度に大きいと、パイル密度の高い良好な芝面を形成し得ないため、コロニー間隔Ｌは３．０ｃｍ以下、特に１．５ｃｍ以下であることが好ましい。
なお、シート状基材上のコロニー間隔は、すべての箇所において同一である必要はなく、例えば、シート状基材の一方向とそれに交叉する方向とでコロニー間隔Ｌが異なっていてもよい。
【００４３】
＜人工芝本体の作製方法＞
本発明に係る人工芝本体の作製方法は任意であるが、一般的には、パイルとシート状基材部分を編み込む方法（ウィービング、ウィービング織り）や、樹脂やゴム等からなるシートや織布にヤーンを縫い付ける方法（タフティング、タフト織り）等が挙げられる。中でもパイルが倒れにくく、且つパイルが比較的大きなコロニーとして、所定のコロニー間隔で形成することで、人工芝としての景観を損なうことなく、且つ自硬性土系舗装材を充填しやすく、耐久性に優れた完成舗装面とし得る等の理由から、ウィービング織りで人工芝本体を作製することが好ましい。
ウィービング織りであれば、ゲージ幅が固定されステッチの間隔でパイル密度を調整するタフト織りと異なり、様々な形状にパイル及びそのコロニーを形成することができる。
【００４４】
＜自硬性土系舗装材＞
本発明において、上記のような人工芝本体４のパイル２，２間に充填する自硬性土系舗装材は、水等と混合することによって常温下で硬化（固化）するものであり、常温固化無機材料とも称される。
【００４５】
ここで、「自硬性」とは、硬化することにより自然土壌と同等の貫入抵抗値を示すものであり、例えば、「土系舗装材料」に関する特開昭６１−２５７５０３号公報では、直径６．４ｍｍの貫入針を１インチ貫入させたときの貫入抵抗値が３５ポンド以上であることが示されている。本発明で用いる自硬性土系舗装材は、この貫入抵抗値が５０〜１３０ポンド程度のものが好ましい。
【００４６】
本発明で用いる自硬性土系舗装材としては特に制限はなく、粘土、真砂土、砂、発泡ガラス、陶器粉砕物などのリサイクル骨材などに、酸化マグネシウム、水酸化マグネシウムなどの固化材と、必要に応じて顔料（色粉）を混合したものが挙げられる。
【００４７】
このような自硬性土系舗装材は、通常粒状物として提供されている。その粒径は、小さ過ぎると飛散し易く取り扱い性が悪いが、過度に大きいとパイル間に充填しにくいことから、最大粒径が５ｍｍ以下で、粒径０．５〜２ｍｍ程度のものを主体とする、即ち、平均粒径が０．５〜２ｍｍ程度のものであることが好ましい。
【００４８】
人工芝本体４への自硬性土系舗装材５の充填量には特に制限はないが、過度に少ないと、自硬性土系舗装材を充填することによる本発明の効果を十分に得ることができず、過度に多いと、舗装材充填面からのパイルの表出長さが短くなって、芝面としての外観を損ねることから、パイルの１５〜３５ｍｍ程度の長さ部分が表出するように、例えば、図１（ａ）における自硬性土系舗装材５の充填層厚さｈが２０〜５０ｍｍ程度となるように充填することが好ましい。
【００４９】
人工芝本体４のパイル２，２間に自硬性土系舗装材５を充填するには、人工芝本体４の上方から必要量の自硬性土系舗装材５を散布した後、レーキ、トンボ等を用いて表面を均せばよい。本発明で用いる人工芝本体は、パイル寸法やコロニー密度、コロニー間隔等が自硬性土系舗装材５の充填に適した構成とされているため、上記のように、人工芝本体４の上方から自硬性土系舗装材５を散布して均すのみで、パイル倒れを防止した上で、また、パイル上に自硬性土系舗装材を堆積させることなく、パイル２，２間に効率的に充填することができる。
【００５０】
パイル２，２間に自硬性土系舗装材５を充填した後は、水、或いは水系樹脂材等の水系材料を散布して、自硬性土系舗装材５を硬化させる。この散水の方法や散水量には特に制限はなく、用いる自硬性土系舗装材５の硬化に必要な量の水を付与できればよい。
【００５１】
散水により硬化した自硬性土系舗装材５は、人工芝本体４の位置ずれやパイルの抜けを防止すると共に、その保水性で、散水された水を保持して、これを徐々に蒸発させることにより、蒸発時の気化熱で炎天下における表面温度上昇の抑制効果を示す。
【実施例】
【００５２】
以下に実施例及び比較例を挙げて、本発明をより具体的に説明する。
【００５３】
以下の実施例及び比較例において用いた人工芝本体は、ウィービング織りにより作製されたＬＤＰＥ製のものであり、厚さ２．０ｍｍの織物シートに、断面Ｕ字型のカットパイルの集合体よりなるコロニーが正方配置で形成されたものである。
【００５４】
また、人工芝本体への充填材としては、以下のものを用いた。
自硬性土系舗装材：  酸化マグネシウムと真砂土を質量比９：１で混合してなる
粒状舗装材。平均粒径２．０ｍｍ、最大粒径５ｍｍ。
ゴムチップ／砂  ：  ＳＢＲ素材の廃ゴム材よりなるゴムチップ（平均粒径３．３ｍ
ｍ）と砂（川砂）の質量比１．２：１の混合物。
【００５５】
［実施例１〜６，比較例１〜５］
表１に示す仕様のパイル及びコイルを有する人工芝本体のパイル間に、表１に示す充填材を充填して舗装路面を構成し、その評価を行った。
【００５６】
作成したサンプルは、３１０ｍｍ×２３０ｍｍ（０．０７１３ｍ２）角の底面を有し、高さ６０ｍｍの壁面を四方に有する樹脂製容器の底面に人工芝本体を敷き、これに充填材を充填した人工芝舗装体モデルである。各充填材の使用量は充填材の充填厚みが容器底面から３０ｍｍ（基材シート上面から２８ｍｍ）となる量とした。
【００５７】
なお、比較例３では充填材を用いず、また、比較例５は、人工芝本体、充填材を用いないアスファルト路面にて同様の評価を行った。
【００５８】
実施例１〜６及び比較例１，２では、サンプルの作成に際して、各々の人工芝本体に、自硬性土系舗装材を上面から散布してパイル根本に充填し、その後散水して舗装材を硬化させた。なお、比較例３〜５は充填材が無いか又は硬化する充填材を用いていないので、硬化のための散水は行わなかった。
【００５９】
この充填作業において、作業性に関する優劣が生じた。
即ち、実施例１〜６及び比較例１、４におけるサンプルの作成においては、充填材を充填する際、レーキを用い、レーキを移動させながら芝パイルを倒してコロニー根本への充填径路を確保して、コロニー間に充填材を連続して容易に投入することができた。しかし、比較例２では、コロニー間隔が小さく、コロニーが密なために、上述の方法では充填が困難であったので、コロニー間に個別に充填した。
【００６０】
得られた各サンプルについて、以下の評価を行って、結果を表１に示した。
【００６１】
＜外観＞
各サンプル（実施例１〜６及び比較例１，２では、硬化後のサンプル）の外観を目視にて観察し、以下の評価基準で評価した。
◎：緑が鮮やかに一面を覆う感覚を奏する。
○：やや緑が少ないが、芝面として充分な緑地感覚を想起する。
×：土面部分が多く、芝面としての感覚を想起せず。
−：人工芝、又は充填材を使用していないので、評価せず。
【００６２】
＜表面温度差＞
加熱源としてランプ（岩崎電気社製  赤外線ランプＩＲ２５０ＷＲＨ）を用い、これを各サンプル（実施例１〜６及び比較例１，２では硬化後のサンプル）の表面（芝面）から７０ｃｍ上方に設置して、サンプル表面を加熱した。
加熱開始から６０分経過した時点で、表面温度が上昇したサンプルに、降水量０．１ｍｍ／ｍ２の小雨相当の水道水（サンプルへの散水量は７．１３ｍＬ相当）を霧吹きにて散水し、散水後６０分経過後の表面温度を測定した。そして散水直後と散水後６０分経過後の表面温度差（温度上昇差）を求め、結果を表１に示した。また、実施例２及び比較例３，４，５における表面温度の経時変化を図３に示した。この表面温度差が小さい程、表面温度上昇の抑制効果が高いことを示し、この表面温度差は１０℃以下であることが好ましい。
なお、サンプル表面の温度測定には、赤外線カメラ（フリアーシステムズジャパン社製  赤外線カメラ  ＦＬＩＲ  ｉ５）を用い、得られた測定面の平均温度を当該測定器により得、この平均温度を測定温度とした。
【００６３】
【表１】
2014163075.tif 000003
【００６４】
表１より明らかなように、本発明の人工芝舗装体は外観に優れ、また、その表面温度上昇の抑制効果に優れる。この表面温度上昇の抑制効果は、本発明の人工芝舗装体が保水性を有し、散水後、人工芝舗装体に保水された水分が蒸発することで表面温度の上昇が抑制されているものと考えられる。
【符号の説明】
【００６５】
１  シート状基材
２，２ａ，２ｂ，２ｃ，２ｄ，２ｅ  パイル
３  コロニー
４  人工芝本体
５  自硬性土系舗装材
【図１】
2014163075.tif 000004
【図２】
2014163075.tif 000005
【図３】
2014163075.tif 000006